(57)【要約】【課題】小型で把持な本体から複数の光美容効果を付与できる光照射型美容装置を提供する。【解決手段】本発明の光照射型美容装置は把持して使用する本体１の一端に、光源３３及びレンズ３０を有し、上記光源３３から発した光を上記レンズ３０を介して生体の皮膚に照射するものであって、光源３３及びレンズ３０を収納した照射ユニット２２あるいは光源３３及びレンズ３０を覆うカバー４８の少なくとも一方を交換可能で複数有しており、本体１に上記複数の照射ユニット２２あるいは複数のカバー４８の中からのいずれを装着するかにより、皮膚に照射する光の波長を変更できるものである。これにより、変更された照射光毎に夫々異なる光美容効果を皮膚に付与できて、一つの本体１で複数の光美容効果が得られて、使い勝手を向上することができる。【選択図】        図１
2011067454.tif 000002
【特許請求の範囲】
【請求項１】
把持して使用する本体の一端に、光源及びレンズをケース内に収納した照射ユニットが装着されており、上記光源から発した光を上記レンズを介して生体の皮膚に照射するものであって、上記照射ユニットを交換用に複数有すると共に、上記照射ユニット毎に上記皮膚に照射される光の波長が夫々異なるものであることを特徴とする光照射型美容装置。
【請求項２】
前記照射ユニットの少なくとも一つが他の照射ユニットと異なる波長の光を発する光源を備えたものであることを特徴とする請求項１に記載の光照射型美容装置。
【請求項３】
前記照射ユニットの少なくとも一つが前記光源の発した光から一部の波長の光を吸収する光学フィルターを備えたものであることを特徴とする請求項１または請求項２に記載の光照射型美容装置。
【請求項４】
前記レンズが光学フィルターを兼ねたものであることを特徴とする請求項３に記載の光照射型美容装置。
【請求項５】
前記照射ユニットの少なくとも一つが他の照射ユニットと照射面積が異なる生体の特定部位に特化したものであることを特徴とする請求項１〜４のいずれか一項に記載の光照射型美容装置。
【請求項６】
把持して使用する本体の一端に光源及びレンズを備えると共に、上記光源及びレンズを覆い上記光源の発した光が上記レンズから導光される照射口の開口したカバーが上記一端に装着されており、上記レンズから導光された光を上記照射口を介して生体の皮膚に照射するものであって、上記照射口には上記導光された光から一部の波長の光を吸収する光学フィルターが設けてあり、且つ上記カバーを交換用に複数有すると共に、上記カバー毎に吸収する波長が異なり、カバーを交換することで皮膚に照射する光の波長を変更するものであることを特徴とする光照射型美容装置。
【請求項７】
前記カバーが前記照射口を端部に有したフレームを備えており、上記フレームの照射口を有する端部が皮膚に当接することで光源を発光させる発光スイッチが電気信号を出力し、上記電気信号が一定時間継続することで、光源が発光されるものであることを特徴とする請求項６に記載の光照射型美容装置
【請求項８】
前記光源がキセノン管あるいはハロゲンランプを用いたものであることを特徴とする請求項１〜７のいずれか一項に記載の光照射型美容装置。
【発明の詳細な説明】
【技術分野】
【０００１】
本発明は、光照射型美容装置に関するものである。
【背景技術】
【０００２】
従来から、特許文献１や特許文献２のように、生体の皮膚にフラッシュライトを照射することで、シミの除去や、殺菌によるニキビの解消等の肌ケアや、脱毛等の光美容を行う光照射型の美容装置がある。そして、照射光の波長により得られる光美容効果が夫々異なるため、一つの装置で複数の光美容効果の得られる複数の波長の光を照射可能な美容装置が求められている。
【０００３】
詳しくは、脱毛では、毛髪を焦がして短期間で脱毛するものや、毛根細胞の活動を抑えて毛髪の成長を抑制して長期間かけて脱毛するもの等がある。そして、シミケアでは、シミの原因となるメラニン等の色素を光分解する短期間でシミを除去するものや、生体細胞を活性化させて上記色素の排出を促進する長期間かけてシミを除去するもの等がある。そして、上記短期間で光美容効果を得るものでは、光照射時に熱さ等の痛みを被施療者に生じるため、被施療者の体調や体質、嗜好等に応じて、いずれの方法を用いるかを選択できる光照射型美容装置が求められている。
【０００４】
そこで、例えば、特許文献１のように、複数の光源からの光を一つの照射プローブから皮膚に照射することで、一つの装置で複数の波長の光を照射可能とした光脱毛装置（光照射型美容装置）がある。詳しくは、赤色及び青色光の可視光領域の波長を有する二種の光源と、皮膚に光を照射する一つの照射プローブと、各光源と照射プローブの間に設けた光混合部等の連結部と、からなり、各光源からの光を連結部により照射プローブに導入するものである。そして、発光させる光源を切り換えることで、皮膚に赤色光と青色光の二つの波長の光を照射可能とし、赤色光による温熱効果と、青色光による毛根細胞の破壊による脱毛と、を行うものである。
【０００５】
また、特許文献２のように、フィルターにより光源からの光のうち所定の波長の光をカットすることで、照射口から照射する光の波長を変更可能とした光学式美容機器（光照射型美容装置）がある。詳しくは、一つの光源と、光源からの光を皮膚に照射する照射部を有したハンドピースと、ハンドピースに着脱自在で夫々異なる波長の光を遮断する複数のフィルターと、を有したものである。そして、上記フィルターの一つをハンドピースに装着させることで、装着されたフィルターに応じた波長の光がカットされて、フィルターを透過した残りの波長の光を皮膚に照射するものである。つまり、フィルターを交換して照射光からカットする波長を切り換えることで、複数の波長の光を皮膚に照射可能としたものである。更に、上記フィルターはフィルター支持体にレンズ面が挟持されており、ハンドピースに装着した際にフィルター支持体によりレンズ面にがたつきが生じることを防止している。
【先行技術文献】
【特許文献】
【０００６】
【特許文献１】特許第１９２６４００号公報
【特許文献２】特許第３６３８５９６号公報
【発明の概要】
【発明が解決しようとする課題】
【０００７】
しかし、特許文献１では複数の光源を切換自在で装置に備えたため、専門の業者が使用する大型で高価なものとなっており、装置本体を把持して使用可能な使い勝手のよいハンディタイプの安価な光照射型美容装置が望まれている。特に、痛みを生じない長期間を要する方法での光美容は、長期間の通院が必要となるため、継続して光美容を受けることが時間及び費用面等で難しいという問題がある。
【０００８】
また、特許文献２ではフィルター支持体が高分子樹脂製であるため接着剤を併用してレンズ面を固定しており、発光時の発熱により上記樹脂や接着剤の軟化や分解等で支持力の低下を招いてしまい、使用中にフィルターにがたつきを生じることがある。そして、上記支持力を向上させるにはレンズ面を挟持する範囲を広げることとなり、フィルターの光透過領域であるレンズ面の有効面積を減少させてしまい、皮膚への照射効率が低下してしまう。
【０００９】
そこで、本発明は上記事情に鑑みて発明したものであり、複数の波長の光を照射可能で且つ本体を把持して使用可能な小型で使い勝手のよい光照射型美容装置を提供することを課題とした。
【課題を解決するための手段】
【００１０】
上記課題を解決するために、本発明の光照射型美容装置は、把持して使用する本体１の一端に、光源３３及びレンズ３０をケース内に収納した照射ユニット２２が装着されており、上記光源３３から発した光を上記レンズ３０を介して生体の皮膚に照射するものである。そして、上記照射ユニット２２を交換用に複数有すると共に、上記照射ユニット２２毎に上記皮膚に照射される光の波長が夫々異なるものであることを特徴としている。
【００１１】
このような構成としたことで、本体１に装着する照射ユニット２２を取換・交換することで、皮膚に照射する照射光の波長を変更することができる。そして、照射光の波長が変わるため、皮膚に付与される光美容効果も変更される。つまり、複数の照射ユニット２２が夫々異なる光美容効果を皮膚に付与するものであるため、いずれの照射ユニット２２を本体１に装着するかによって、容易に皮膚に付与する光美容効果を切換可能となっている。
【００１２】
また、前記照射ユニット２２の少なくとも一つは、他の照射ユニット２２と異なる波長の光を発する光源３３を備えたものや、前記光源３３の発した光から一部の波長の光を吸収する光学フィルター５８を備えたものであることが好ましい。特に、光学フィルター５８を備えたものでは、前記レンズ３０が前記光学フィルター５８を兼ねたものであることが好ましい。
【００１３】
また、前記照射ユニット２２の少なくとも一つは他の照射ユニット２２と照射面積が異なる生体の特定部位に特化したものであることが好ましい。
【００１４】
また、本発明の光照射型美容装置は、把持して使用する本体１の一端に光源３３及びレンズ３０を備えると共に、上記光源３３及びレンズ３０を覆い上記光源３３の発した光が上記レンズ３０から導光される照射口５６の開口したカバー４８が上記一端に装着されている。そして、上記照射口５６には上記導光された光から一部の波長の光を吸収する光学フィルター５８が設けてある。尚且つ、上記カバー４８を交換用に複数有すると共に、上記カバー４８毎に吸収する波長が異なり、カバー４８を交換することで皮膚に照射する光の波長を変更するものであることを特徴としている。
【００１５】
このような構成としたことで、本体１に装着するカバー４８を取換・交換することで、皮膚に照射する照射光の波長を変更することができる。そして、照射光の波長が変わるため、皮膚に付与される光美容効果も変更される。つまり、各カバー４８が夫々異なる光美容効果を皮膚に付与するものであるため、いずれのカバー４８を本体１に装着するかによって、容易に皮膚に付与する光美容効果を切換可能となっている。
【００１６】
また、前記カバー４８が前記照射口５６を端部に有したフレームを備えており、上記フレームの照射口５６を有する端部が皮膚に当接することで光源３３を発光させる発光スイッチ１１が電気信号を出力し、上記電気信号が一定時間継続することで、光源３３が発光されるものであることが好ましい。
【００１７】
また、前記光源３３はキセノン管３４ａあるいはハロゲンランプ３４ｂを用いたものであることが好ましい。
【発明の効果】
【００１８】
上記のように、本発明の光照射型美容装置は照射ユニットやカバーを交換することで、皮膚に照射する照射光の波長が変更されるため、皮膚に付与する光美容効果を変更することができる。つまり、一つの本体で複数の光美容効果を容易に切り換えて付与することができて、使い勝手の向上した光照射型美容装置となっている。
【００１９】
また、光源の発する光を異なるものとしたことで、照度や光量も容易に変更することができて、より光美容効果を向上させることができる。
【００２０】
また、光学フィルターにより照射光の波長を変更したことで、照射ユニット毎の波長差を精密で且つ容易に変更することができる。
【００２１】
また、レンズが光学フィルターを兼ねたことで、照射ユニットの構成部材の増加や形状の変更を防止できて、複数製造する照射ユニットの形状差や構成部材の増加等によるコスト増を抑制することができる。
【００２２】
また、照射ユニットの一つを生体の特定部位用に特化させたことで、特定部位に対する使い勝手及び光照射時の安全性を向上することができる。
【００２３】
また、フレームの皮膚への当接が一定時間以上継続することで光源が発光するものとしたことで、光照射時にフレームの皮膚への当接が確保されるため、照射口を確実に皮膚に密着して照射光を照射することができる。つまり、光照射時に照射口と皮膚の間に隙間が発生せず、照射光が外部に漏れることを防止できて、安全性を向上することができる。
【図面の簡単な説明】
【００２４】
【図１】本発明の光照射型美容装置の（ａ）正面図、（ｂ）側面図である。
【図２】同上の装置の（ａ）Ａ−Ａ断面図、（ｂ）Ｂ−Ｂ断面図である。
【図３】同上のカバーを離脱した装置の斜視図である。
【図４】照射ユニットの分解斜視図である。
【図５】照射ユニットの（ａ）正面図、（ｂ）Ｃ−Ｃ断面図である。
【図６】離脱させたカバーの（ａ）正面図、（ｂ）Ｅ−Ｅ断面図、（ｃ）フロートフレームの斜視図である。
【図７】交換用の照射ユニットの（ａ）正面図、（ｂ）Ｄ−Ｄ断面図、（ｃ）本体装着時の斜視図である。
【図８】光学フィルターを備えたフロートフレームの斜視図である。
【発明を実施するための形態】
【００２５】
以下、図面に基づいて本発明の実施形態について説明する。
【００２６】
本発明の光照射型美容装置は、図１〜３に示すように、把持して使用可能な円筒形状の本体１と、光源３３及びレンズ３０を備えた照射ユニット２２と、皮膚に当接するフロートフレーム５４を備えたカバー４８と、からなるものである。そして、光源３３の発した光はレンズ３０を介してフロートフレーム５４に設けた照射口５６に導光されて、皮膚のフロートフレーム５４に囲まれ照射口５６と向かい合う部位に照射されるものである。更に、上記照射ユニット２２及びカバー４８は夫々本体１から着脱自在となっている。
【００２７】
詳しくは、上記本体１の内部に、二次電池等の電源２と、光源３３のフラッシュ発光用の電荷を蓄えるコンデンサ３と、コンデンサ３の蓄電量や温度の変化を検知して蓄電・放電制御を行う制御部（特に図示しない）を有した回路基板４と、を備えている。そして、本体１の外周面には、電源２のオンオフや蓄電開始等の外部操作を行う操作スイッチ５と、上記外部操作や充電完了や異常等を外部に表示するＬＥＤ等の報知部６と、電源２の充電用の充電端子７と、カバー４８の本体１への係止を解く係止操作部８と、が配設されている。
【００２８】
また、上記本体１の軸方向の一端は円筒の中心軸に対して傾斜した傾斜面１０となっており、該傾斜面１０の略中央に照射ユニット２２が取り付けられており、上記照射ユニット２２及び傾斜面１０をカバー４８が覆っている。そして、本体１の軸方向の他端は軸に直交した平面であり、該平面には回路基板４の設定をリセットするリセットスイッチ９が凹設されている。
【００２９】
上記傾斜面１０は、上記係止操作部８で解除可能にカバー４８を係止する係止部１５と、光源３３の発光の引き金となる発光スイッチ１１と、照射ユニット２２に係合して照射ユニット２２を傾斜面１０に装着させる装着部１８と、を有している。上記係止部１５はカバー４８に設けたフック５１を係止する係止突起１６からなり、係止突起１６は本体１内面に弾性体１７を介して支持されており、係止操作部８の外部操作により弾性体１７の付勢に抗してフック５１との係止を解くものである。
【００３０】
そして、発光スイッチ１１は、押圧されると光源３３を発光させる電気信号を回路基板４に出力するスイッチ部１２と、スイッチ部１２を押圧する押圧片１３と、押圧片１３を傾斜面１０に直交する方向でスイッチ部１２を押圧する向きとは逆向きに付勢する弾性体１４と、からなるものである。上記弾性体１４の付勢に抗して押圧片１３がスイッチ部１２を押圧することで、上記電気信号が出力されるものであり、電気信号が回路基板４に約３秒間継続して入力されることで、回路基板４が光源３３の発光を許可し光源３３が発光するものとなっている。
【００３１】
また、上記装着部１８は、傾斜面１０と直交する向きに先端開口を有したＵ字形状の爪１９と、照射ユニット２２の装着を検知するユニット検知部２０と、装着された照射ユニット２２と本体１の回路基板４を電気的に接続する本体側コネクタ２１と、からなるものである。上記爪１９は本体側コネクタ２１の両側に夫々配置されており、照射ユニット２２の両側に係合することで、傾斜面１０に照射ユニット２２を装着保持するものである。
【００３２】
上記傾斜面１０に装着される照射ユニット２２は、図３〜５に示すように、略長方形状の開口を一端に有し他端である底部が傾斜面１０に当接した状態で保持される箱形状となっており、該箱は二つ割りのユニットケース２４により形成されている。
【００３３】
そして、箱の底部にはユニット検知部２０に照射ユニット２２の装着を検知させる検知用突起２５を有すると共に、上記底部の略中央にユニット側コネクタ２７の露出した凹所２６を有しており、本体１装着時にユニット側コネクタ２７と本体側コネクタ２１が電気的に接続される。更に、箱の開口の長手方向の両方の端面には夫々上記爪１９と係脱自在の係合突起２８を備えており、係合突起２８は夫々一方の爪１９のＵ字の間に挟まれることで係合し、照射ユニット２２を装着部１８に保持するものである。
【００３４】
つまり、爪１９と係合突起２８の係脱は傾斜面１０に直交する向きに照射ユニット２２を動かすことで行われるものであり、係合突起２８を爪１９のＵ字の開口側から底部側に向けて押込むことで係合し、係合した係合突起２８をＵ字の開口側に引っ張り出すことで離脱するものである。そして、上記爪１９と係合突起２８の係脱を行う向きの一方が照射ユニット２２からの照射光が進行する照射方向Ｆとなっている。なお、上記両端面に直交する長手方向に沿った側面には装着部１８との係脱時に把持した指の滑りを防止する凹凸部２９を有しており、上記係合突起２８と爪１９との係脱時に照射ユニット２２を把持した指の滑り止めとなっている。
【００３５】
このように、照射ユニット２２はドライバーやスパナ等の工具を使用することなく本体１に押込むあるいは本体１から引っ張ることで容易に着脱できて、光照射型美容装置の製造や使用に精通していない者でも簡単に照射ユニット２２を交換することができる。そのため、光源３３の劣化や光源３３とレンズ３０の位置ずれ等の不具合の生じた照射ユニット２２の新品への交換や、異なる波長の光を照射する照射ユニット２２への交換等の他の照射ユニット２２へ容易に取換交換することができるものとなっている。
【００３６】
なお、工具を使用せずに照射ユニット２２を着脱自在で保持する手段として、上記Ｕ字の爪１９で係合突起２８を挟持する構成の他にも、凹凸やフックやファスナー等による係合手段があり、照射ユニット２２の形状や装着部１８の形状に応じて適宜設定するものである。もちろん、工具が不要であれば、照射ユニット２２の外面にねじ山を形成し、照射ユニット２２を把持して回転させて装着部１８に螺合させて傾斜面１０に保持させるものであってもよい。
【００３７】
また、照射ユニット２２の箱の開口は光源３３からの光をユニット外部に放出する放出口であり、レンズ３０が箱の上記開口を覆う蓋として二つのユニットケース２４に挟持固定されている。そして、上記レンズ３０は、開口を覆い光源３３の光を照射方向Ｆに向けて外部に放出するレンズ面３１と、レンズ面３１の外端全周に延設された枠部３２と、からなる断面コ字状のものであり、枠部３２の外面がユニットケース２４の内壁に固定保持されている。つまり、上記レンズ面３１が箱の開口と略同形状で開口を覆う蓋であり、レンズ３０から放出される光である照射光は開口に直交する照射方向Ｆのみに進むよう上記レンズ面３１及び後述の反射板３７により補正されており、凹レンズ３０や凸レンズ３０等の調光レンズ３０が好ましい。
【００３８】
そして、上記箱の内部には、光源３３であるキセノン管３４ａと、光源３３の光を反射しレンズ３０に導光する反射板３７と、光源３３及び反射板３７をユニットに保持する保持部３９と、コネクタと光源３３を電気的に接続する回路部３５と、を備えている。なお、上記回路部３５において、符号３６は光源３３にトリガー電圧を印加するトリガートランスであり、図４及び図５中では、光源３３と回路部３５を繋ぐ配線を省略している。
【００３９】
上記反射板３７はレンズ面３１と略同じ寸法形状の開口を有したカップ状の金属板であり、開口を形成する端部はレンズ３０のコ字形状の内側の空間に配置されて枠部３２の内壁及びレンズ面３１の内面に当接している。そして、カップの長手方向の両方の端面の底部側に夫々互いに連通した貫通孔３８を有しており、光源３３が両貫通孔３８，３８を連通する形で反射板３７の内側に配置されている。そのため、光源３３の発した光が反射板３７の内面に反射して、上記レンズ面３１の全体に略均一に分布して導光されるものとなっている。
【００４０】
また、上記光源３３及び反射板３７を保持する保持部３９は、光源３３を反射板３７に固定する二つのリング４５と、反射板３７の底部及び外面に接する基台４０と、レンズ３０に基台４０を固定する係合部４４ｂと、反射板３７の底部と基台４０の間に配置されたクッション４６と、からなるものである。
【００４１】
上記リング４５は弾性体からなり、夫々内周に光源３３の貫通孔３８から反射板３７の外側に突出した端部が無理嵌めされると共に、二つのリング４５の対向する面が夫々反射板３７の上記端面に当接されている。そのため、該リング４５を介して光源３３が反射板３７に固定保持されており、光源３３の反射板３７に対する位置ずれが防止されている。
【００４２】
また、基台４０は、上記クッション４６が載置される載置面を有した底板４１と、底板４１から延設された複数の柱４２と、底板４１の載置面に対向する位置で各柱４２の先端を結ぶ矩形状の枠材４３と、からなるものである。そして、基台４０の載置面と柱４２と枠材４３で囲まれた空間に反射板３７が配置されるものであり、基台４０の係合部４４ｂがレンズ３０の枠部３２に設けた被係合部４４ａに係合することで、基台４０によりクッション４６を介して弾性的に反射板３７がレンズ３０に押し付けられてユニットケース２４に固定保持される。
【００４３】
つまり、基台４０は反射板３７を覆うカップ形状であり、カップの端面及び側面に光源３３の発した熱を外部に放出し冷却する放熱口４７を備えたものである。そして、光源３３及び反射板３７は保持部３９を介して弾性的にユニットケース２４に固定保持されており、照射ユニット２２の本体１からの着脱時や、本体１の取落し等の衝撃により光源３３や反射面に位置ずれを生じることを防止して、安定した光照射を確保している。
【００４４】
また、カバー４８は、図６に示すように、光を透過しない遮光部材で形成された矩形の筒形状のフロートフレーム５４と、上記フロートフレーム５４をフロート自在で支持するカバー部材４９と、を有したものである。
【００４５】
上記カバー部材４９は中空で照射方向Ｆに頂を有した山形であり、頂及び麓の両方が開口した筒形状となっている。詳しくは、山の麓側の端部５０は前記傾斜面１０の外周に沿った環状で開口しており、該麓側の端部５０にはフック５１が延設されている。そのため、フック５１が傾斜面１０の係止部１５に係合すると、カバー４８が本体１に装着され、係止操作部８が外部操作されて係合が解かれると、カバー４８が本体１から離脱するものであり、カバー４８も照射ユニット２２と同様に工具を使用することなく本体１から着脱可能なものとなっている。
【００４６】
そして、照射方向Ｆの先端側である山の頂側の端部５２は麓側の開口より小さく且つ上記フロートフレーム５４の外周を覆う矩形状に開口しており、該頂側の開口をフロートフレーム５４が塞いでいる。つまり、カバー部材４９は傾斜面１０及び照射ユニット２２を覆うと共に、頂上にフロートフレーム５４を浮かせて配置したものとなっている。
【００４７】
また、上記フロートフレーム５４は照射ユニット２２の箱の外周より大きい形状の内部空間を有した筒であり、本体１にカバー４８を装着した際に上記内部空間に照射ユニット２２が位置するものである。そして、フロートフレーム５４のカバー部材４９の頂側に位置する端部は皮膚に当接する当接部５５であり、該端部の開口は照射ユニット２２のレンズ３０と照射方向Ｆに一直線に並んでおり、照射ユニット２２からの照射光を皮膚に照射する照射口５６となっている。
【００４８】
更に、上記照射口５６には格子状の透光部材５７が配置されており、当接した皮膚が照射口５６からフロートフレーム５４の内部に入り込むことを抑えて、光源３３の発光で高温に過熱したレンズ３０に皮膚が接触して火傷等を負うことを防止している。なお、上記透光部材５７とはレンズ３０から導光された光を透過可能な部材であり、透過される光は反射板３７及びレンズ３０により調節された光量の分布及び光の進行方向が変化しないものである。つまり、透光部材５７は照射光の分布を不均一化せず且つ照射方向Ｆにのみ透過する形状及び材質のものである。
【００４９】
このように、レンズ３０から放出された照射方向Ｆに進む照射光はフロートフレーム５４の遮光部材に覆われた内部空間を通って照射口５６から皮膚へと照射されており、照射光は進行方向を照射方向Ｆからずらされずに照射口５６及び透光部材５７を介して皮膚の照射口５６に対向する部位に照射されている。
【００５０】
また、上記フロート自在とは、カバー４８部に対してフロートフレーム５４が照射方向Ｆに沿ってスライド移動可能であると共に、フロートフレーム５４が照射方向Ｆの先端側である皮膚側に向けてばね等の弾性体６２により付勢されて上記カバー部材４９に支持された状態である。
【００５１】
詳しくは、フロートフレーム５４の筒の外面に、カバー部材４９に対してフロートフレーム５４を上記スライド移動させるスライドガイド５９と、上記スライドをロックするロック用突起６０と、照射方向Ｆに付勢する弾性体６２と、上記弾性付勢によるカバー部材４９からの抜け止めを行う支持突起６１と、を備えている。そのため、光照射時にフロートフレーム５４の当接部５５を皮膚に押し付けると、弾性体６２の付勢に抗してフロートフレーム５４が照射方向Ｆと逆向きにカバー部材４９の内側にスライドしながら沈み込むものである。
【００５２】
このように、フロートフレーム５４を遮光部材で形成しカバー部材４９にフロート自在としたことで、照射時に皮膚とフロートフレーム５４が弾性的に接触して、押圧による痛みの発生を抑制すると共に、皮膚にフロートフレーム５４を密着させることができる。そのため、照射光の一部が皮膚で反射してもフロートフレーム５４により外方に漏れることが防止されて、照射光が眼に入る等の危険を確実に防止できて、安全性が高いものとなっている。
【００５３】
そして、上記照射口５６に透光部材５７を配置したことで、フロートフレーム５４の皮膚当接時に皮膚がフロートフレーム５４の内周側に入り込みレンズ３０に接触することがなく、発光で高温となったレンズ３０に接触して火傷する等の危険を確実に防止している。なお、上記ロック突起はカバー部材４９の外面に設けた操作摘み５３を上記フロートフレーム５４のスライド方向である照射方向Ｆと直交する向きにスライド操作することで、ロック状態と非ロック状態が切り換わるものとなっている。
【００５４】
更に、上記フロートフレーム５４のカバー部材４９の内側に位置する他方の開口を形成する端部には押圧突起６３が照射方向Ｆと逆向きに突出して設けられている。上記押圧突起６３は発光スイッチ１１の押圧片１３を照射方向Ｆと逆向きに押圧して、押圧片１３にスイッチ部１２を押させるものである。
【００５５】
つまり、皮膚当接時にフロートフレーム５４がカバー４８の内側に沈み込むことで、押圧突起６３が発光スイッチ１１の弾性体１４の付勢に抗して押圧片１３を本体１内部側に押込み、押圧片１３に押圧されたスイッチ部１２がオンとなり、電気信号を出力するものである。このとき、上記フロートフレーム５４が皮膚に当接されている間、押圧突起６３によるスイッチ部１２の押圧も継続されるため、皮膚当接中は発光スイッチ１１が電気信号を出力し続けるものとなっている。
【００５６】
このように、フロートフレーム５４がスライドにより発光スイッチ１１をオンにするものとしたことで、フロートフレーム５４を皮膚へ当接し押し当てると共に上記押し当てた状態を維持することが光源３３を発光させる発光条件となり、光照射時である光源３３の発光時に、フロートフレーム５４と皮膚を確実に密着させることができる。そして、光照射時にフロートフレーム５４が皮膚に密着しているため、皮膚に照射した光が反射や拡散してもフロートフレーム５４の外周に漏れることがなく、安全性の高いものとなっている。
【００５７】
また、本例の光照射型美容装置は上記照射ユニット２２に加えて、照射光の波長が異なる交換用の照射ユニット２３ｂを二つ有しており、本体１にいずれの照射ユニット２２を装着するかにより皮膚に付与する光美容効果を変更可能となっている。なお、便宜上、前述で説明した照射ユニット２２を主照射ユニット２３ａと記載して交換用の照射ユニット２３ｂと区別し、主照射ユニット２３ａと交換用の照射ユニット２３ｂの差異点のみを以下に説明する。
【００５８】
上記主照射ユニット２３ａは光照射により毛髪の成長抑制を行う脱毛（抑毛）用となっており、交換用の照射ユニット２３ｂの一つはメラニン等の色素の排出促進を行うシミケア用となっており、他の一つはアクネ菌等の原因菌を死滅させるニキビケア用となっている。そして、交換用の照射ユニット２３ｂは、主照射ユニット２３ａと違い眼や唇に近傍である頬が光を照射する照射部位となるシミケア用あるいはニキビケア用であるため、レンズ面３１を狭めて照射光により眼の網膜や口腔内の粘膜等が損傷することを防止している。
【００５９】
詳しくは、図７に示すように、レンズ３０が主照射ユニット２３ａより小さく、レンズ３０の外周を基台４０の枠材４３が覆っており、レンズ３０が枠材４３を介してユニットケース２４に固定保持されている。そのため、フロートフレーム５４を眼や唇の近傍に当接しても、照射光の当たる照射部位からユニットケース２４及び枠材４３の厚さの分だけ眼や唇から離すことができて、眼や唇に照射光を照射することを防止している。つまり、交換用の照射ユニット２３ｂは生体の顔面に対して使用することに特化した照射ユニット２２となっている。
【００６０】
そして、交換用の照射ユニット２３ｂは、光源３３にハロゲンランプ３４ｂを用いており、照射光は主照射ユニット２３ａより紫外線側の波長域が広く、且つキセノン管３４ａより輝度が大きいものとなっている。なお、キセノン管３４ａとハロゲンランプ３４ｂの波長域の上記差は例示にすぎず、互いの波長領域が重ならないものや、ハロゲンランプ３４ｂが近赤外光側に波長域が広く有したものであってもよく、照射ユニット２２毎の光美容効果に応じて設定された領域であり且つ他の照射ユニット２２と波長域に差を有していればよい。
【００６１】
また、シミケア用の照射ユニット２２はニキビケア用の照射ユニット２２と違いレンズ３０が一部の波長の光を吸収して透過しない光学フィルター５８を兼ねたものとなっており、ハロゲンランプ３４ｂの発した光から皮膚に痛みを生じる波長域の光を遮断して、残りの波長の光を照射口５６に導光している。そのため、ニキビケア用の照射ユニット２２より狭い波長域の照射光を放出する照射ユニット２２となっており、シミケア時に皮膚に痛みを生じないものとなっている。
【００６２】
このように、夫々異なる波長の照射光を照射する照射ユニット２２を交換可能で複数備えたことで、本体１に装着させる照射ユニット２２を取換交換することで、皮膚に照射する照射光の波長を変更することができる。つまり、照射ユニット２２を取り換えるだけで、一つの本体１から複数の光美容効果を付与できる使い勝手のよい光照射型美容装置となっている。特に、照射ユニット２２の着脱に工具が不要であるため、光照射型美容装置の使用に精通していない素人であっても光照射により皮膚に付与する光美容効果の種類を容易に変更することができるものとなっている。
【００６３】
また、各照射ユニット２２のユニットケース２４やユニット側コネクタ２７等の外観を形成する部材が共通であるため、交換用の照射ユニット２３ｂ用に装着部１８の形状を変更するあるいは新たな保持手段を追加する必要がないものとなっている。つまり、構成部材の増加や形状差による生産時の組立て手順の差等による生産性の低下を防止して、複数の照射ユニット２２の生産によるコストの増加を抑制している。特に、交換用の照射ユニット２３ｂの形状は略同じであるため、生産コストをより低減することができるものとなっている。
【００６４】
また、交換用の照射ユニット２３ｂは主照射ユニット２３ａと光源３３及びレンズ３０のサイズが異なっており、レンズ３０を覗くだけで、レンズ面３１のサイズや光源３３の形状から主照射ユニット２３ａか交換用の照射ユニット２３ｂかを判断可能となっている。そして、交換用の照射ユニット２３ｂにおいても、一つが光学フィルター５８を有するため、光学フィルター５８に有色のものを用いることで、レンズ３０の色からいずれの交換用の照射ユニット２３ｂかを判断可能となっている。
【００６５】
なお、交換用の照射ユニット２３ｂはニキビケアとシミ用に二つに限らず、短期間での脱毛やシミケア用等の他の光美容・理容用の照射ユニット２２であってもよい。もちろん、顔面用に限らず、レンズ面３１を略楕円形状や円形状にして、ほくろ除去・低減用等としてもよい。ましてや、主照射ユニット２３ａのレンズ面３１より大きくしてもよく、このとき、フロートフレーム５４のスライド動作をレンズ面３１の大きい交換用の照射ユニット２３ｂが阻害しないために、カバー４８も照射口５６の大きいものに交換することが好ましい。
【００６６】
更に、各照射ユニット２２は検知用突起２５の突出量等の形状や、位置、数等が異なっており、ユニット検知部２０の検知信号から本体１に装着された照射ユニット２２の種類を回路基板４の制御部が容易に判断できるものとなっている。そのため、照射ユニット２２毎の光美容効果に応じて制御部が光源３３の発光量や発光時間、発光条件等を調節する発光制御を行い、光照射による光美容効果をより向上させると共に、安全性及び使い勝手が向上されている。特に、光源３３にハロゲンランプ３４ｂを用いたものではフラッシュ発光ではなく一定時間発光させ続ける発光制御を行うことがあるため、発光制御の変更時にコンデンサ３の充電動作を省略して直接電源２から照射ユニット２２に電力供給できるように回路基板４を切換可能としてもよい。
【００６７】
なお、光学フィルター５８毎に遮断する波長域を変えれば、交換用の照射ユニット２３ｂを三つ以上有することができるのはもちろん、光源３３にキセノン管３４ａを用いたものに光学フィルター５８を設けてもよい。ましてや、光源３３の発する光の波長が異なるものであれば、光学フィルター５８の遮断する波長域が同じであってもよい。そして、レンズ３０が光学フィルター５８を兼ねずに、反射板３７とレンズ３０の間に光学フィルター５８を別部材として配置してもよく、光学フィルター５８は照射ユニット２２に設けられ光源３３の発した光から一部の波長の光を遮断するものであればよい。
【００６８】
また、カバー４８も照射光の波長変更用の交換カバー４８として複数有している。上記交換用のカバー４８は、図８に示すように、フロートフレーム５４の透光部材５７が格子状ではなく照射口５６の開口全体を覆う面状となっており、透光部材５７が一部の波長の光を遮断する光学フィルター５８となっている。つまり、交換用のカバー４８毎に透光部材５７を透過可能な光の波長が異なるものであり、本体１に装着したカバー４８に応じて、照射口５６から皮膚に照射される光の波長が異なるものとなっている。
【００６９】
そのため、本体１に装着するカバー４８を交換することで、光美容効果を変更できるものである。特に、カバー４８の着脱に工具が不要であるため、容易にカバー４８を取り換えることができて、使い勝手のよい光照射型美容装置となっている。そして、光学フィルター５８を有するカバー４８と、光学フィルター５８を有しないカバー４８とで、透光部材５７の形状が異なるため、容易に光の一部を遮断するカバー４８か否かを判断可能である。更に、光学フィルター５８に有色のものを用いれば、光学フィルター５８を備えたカバー４８毎の区別を各光学フィルター５８の色で行えて好ましい。
【００７０】
もちろん、前述の照射ユニット２２の交換と、上述のカバー４８の交換を組合せてより細分化して照射光の波長を調節可能としてもよい。
【符号の説明】
【００７１】
１  本体
１０  傾斜面
１１  発光スイッチ
１８  装着部
２２  照射ユニット
２３ａ  主照射ユニット
２３ｂ  交換用の照射ユニット
２８  係合突起
３０  レンズ
３３  光源
３４ａ  キセノン管
３４ｂ  ハロゲンランプ
４８  カバー
５３  フロートフレーム
５５  照射口
５６  透光部材
５７  光学フィルター
【図１】
2011067454.tif 000003
【図２】
2011067454.tif 000004
【図３】
2011067454.tif 000005
【図４】
2011067454.tif 000006
【図５】
2011067454.tif 000007
【図６】
2011067454.tif 000008
【図７】
2011067454.tif 000009
【図８】
2011067454.tif 000010